(57)【要約】【課題】要求される程度の高いリンク先のウェブページ情報を表示しやすくできるウェブページ情報表示制御装置および方法を提供する。【解決手段】座標記憶部１１３には、リンク情報に対応する表示データの座標を表示データの選択ごとに積算し且つ選択回数で除して得られる座標ｍｎが記憶される。順位付与部１０４は、リンク情報に対し、対応する表示データの座標の位置が座標ｍｎの位置に近いほど高い順位となるように、順位を付与する。信号処理部１１０は、リモコン２によって、記号が入力されたなら、対応する表示データの座標により、座標ｍｎを更新する。【選択図】図１２
2010287202.tif 000002
【特許請求の範囲】
【請求項１】
ウェブページ情報を表示するためのウェブページデータを取得する通信手段と、
予め用意された入力手段に入力される１以上の文字からなる記号が入力しやすい順に複数記憶される記号記憶手段と、
前記ウェブページデータにより得られるウェブページ情報における別のウェブページ情報を示すリンク情報と前記記号記憶手段に記憶された記号とが対応づけて記憶されるマップ記憶手段と、
前記リンク情報に対応する表示データの座標を表示データの選択ごとに積算し且つ選択回数で除して得られる座標が記憶される座標記憶手段と、
前記ウェブページデータにより得られるウェブページ情報からリンク情報を検索し、当該リンク情報に対応する表示データが表示される位置の座標を算出する座標算出手段と、
前記リンク情報に対し、対応する表示データの座標の位置が、前記座標記憶手段に記憶された座標の位置に近いほど高い順位となるように、順位を付与する順位付与手段と、
前記記号記憶手段から記号を読み出し、前記リンク情報の順位が高いほど入力しやすい記号となるように前記リンク情報に対応する表示データに当該記号を付与するとともに、当該リンク情報と当該記号とを対応づけて、前記マップ記憶手段に記憶させる記号付与手段と、
前記記号を付与された表示データを含む前記ウェブページ情報を予め用意された表示手段に表示させる表示制御手段と、
前記ウェブページ情報が表示された際に前記入力手段に入力された記号を示す信号を受信する信号受信手段と、
前記マップ記憶手段から、当該信号により示される記号に対応づけられたリンク情報を読み出し、当該リンク情報に対応するウェブページ情報を表示するためのウェブページデータを取得するように、前記通信手段を制御するとともに、当該リンク情報に対応する表示データの座標により、前記座標記憶手段の座標を更新する信号処理手段と
を備えることを特徴とするウェブページ情報表示制御装置。
【請求項２】
ウェブページ情報を表示するためのウェブページデータを取得する通信手段と、
予め用意された入力手段に入力される１以上の文字からなる記号が入力しやすい順に複数記憶される記号記憶手段と、
前記ウェブページデータにより得られるウェブページ情報における別のウェブページ情報を示すリンク情報と前記記号記憶手段に記憶された記号とが対応づけて記憶されるマップ記憶手段と、
予め用意された表示手段における表示領域を２つ以上に分割した各領域に対応付けて、該領域での表示データの選択数を記憶する領域別選択数記憶手段と、
前記ウェブページデータにより得られるウェブページ情報からリンク情報を検索し、当該リンク情報に対応する表示データが表示される位置の座標を算出する座標算出手段と、
前記領域別選択数記憶手段における最多の選択数に対応する領域以外の各領域に表示される表示データに対応するリンク情報の順位が、前記領域別選択数記憶手段において当該領域に対応づけられた選択数より多い選択数に対応づけられた領域の表示データに対応するリンク情報の順位よりも低くなるようにリンク情報に順位を付与する順位付与手段と、
前記記号記憶手段から記号を読み出し、前記リンク情報の順位が高いほど入力しやすい記号となるように前記リンク情報に対応する表示データに当該記号を付与するとともに、当該リンク情報と当該記号とを対応づけて、前記マップ記憶手段に記憶させる記号付与手段と、
前記記号を付与された表示データを含む前記ウェブページ情報を前記表示手段に表示させる表示制御手段と、
前記ウェブページ情報が表示された際に前記入力手段に入力された記号を示す信号を受信する信号受信手段と、
前記マップ記憶手段から、当該信号により示される記号に対応づけられたリンク情報を読み出し、当該リンク情報に対応するウェブページ情報を表示するためのウェブページデータを取得するように、前記通信手段を制御するとともに、当該リンク情報に対応する表示データの座標により、前記座標記憶手段の座標を更新する信号処理手段と
を備えることを特徴とするウェブページ情報表示制御装置。
【請求項３】
ウェブページ情報を表示するためのウェブページデータを取得する通信手段と、
予め用意された入力手段に入力される１以上の文字からなる記号が入力しやすい順に複数記憶される記号記憶手段と、
前記ウェブページデータにより得られるウェブページ情報における別のウェブページ情報を示すリンク情報と前記記号記憶手段に記憶された記号とが対応づけて記憶されるマップ記憶手段と、
前記リンク情報と該リンク情報の選択回数とが対応づけて記憶される選択回数記憶手段と、
前記ウェブページデータにより得られるウェブページ情報からリンク情報を検索し、当該リンク情報に対応する表示データが表示される位置の座標を算出する座標算出手段と、
前記選択回数記憶手段の選択回数に対応づけられた各リンク情報であって且つ当該選択回数が予め定められた回数より多く且つ互いに等しい各リンク情報に対しては、選択回数が多いリンク情報ほど高い順位となるように、順位を付与し、当該各リンク情報以外のリンク情報に対しては、対応する表示データの座標の位置が、予め定められた基準座標の位置に近いほど高い順位となるように、順位を付与する順位付与手段と、
前記記号記憶手段から記号を読み出し、前記リンク情報の順位が高いほど入力しやすい記号となるように前記リンク情報に対応する表示データに当該記号を付与するとともに、当該リンク情報と当該記号とを対応づけて、前記マップ記憶手段に記憶させる記号付与手段と、
前記記号を付与された表示データを含む前記ウェブページ情報を予め用意された表示手段に表示させる表示制御手段と、
前記ウェブページ情報が表示された際に前記入力手段に入力された記号を示す信号を受信する信号受信手段と、
前記マップ記憶手段から、当該信号により示される記号に対応づけられたリンク情報を読み出し、当該リンク情報に対応するウェブページ情報を表示するためのウェブページデータを取得するように、前記通信手段を制御するとともに、当該リンク情報が選択されたこととして前記選択回数記憶手段を更新する信号処理手段と
を備えることを特徴とするウェブページ情報表示制御装置。
【請求項４】
前記記号記憶手段は、前方一致する記号同士を少なくとも並ばないように記憶し、
前記信号処理手段は、前記入力手段に入力された１以上の文字に前方一致しない記号を前記マップ記憶手段から読み出し、読み出した記号が非顕在化されるまたは非表示となるように、前記表示制御手段を制御する
ことを特徴とする請求項１ないし３のいずれかに記載のウェブページ情報表示制御装置。
【請求項５】
ウェブページ情報を表示するためのウェブページ情報表示制御装置が行うウェブページ情報表示制御方法であって、
前記ウェブページ情報表示制御装置は、
予め用意された入力手段に入力される１以上の文字からなる記号が入力しやすい順に複数記憶される記号記憶手段と、
前記ウェブページデータにより得られるウェブページ情報における別のウェブページ情報を示すリンク情報と前記記号記憶手段に記憶された記号とが対応づけて記憶されるマップ記憶手段と、
前記リンク情報に対応する表示データの座標を表示データの選択ごとに積算し且つ選択回数で除して得られる座標が記憶される座標記憶手段とを備え、
前記ウェブページ情報表示制御方法は、
前記ウェブページ情報表示制御装置に構成された通信手段が、ウェブページ情報を表示するためのウェブページデータを取得するステップと、
前記ウェブページ情報表示制御装置に構成された座標算出手段が、前記ウェブページデータにより得られるウェブページ情報からリンク情報を検索し、当該リンク情報に対応する表示データが表示される位置の座標を算出するステップと、
前記ウェブページ情報表示制御装置に構成された順位付与手段が、前記リンク情報に対し、対応する表示データの座標の位置が、前記座標記憶手段に記憶された座標の位置に近いほど高い順位となるように、順位を付与するステップと、
前記ウェブページ情報表示制御装置に構成された記号付与手段が、前記記号記憶手段から記号を読み出し、前記リンク情報の順位が高いほど入力しやすい記号となるように前記リンク情報に対応する表示データに当該記号を付与するとともに、当該リンク情報と当該記号とを対応づけて、前記マップ記憶手段に記憶させるステップと、
前記ウェブページ情報表示制御装置に構成された表示制御手段が、前記記号を付与された表示データを含む前記ウェブページ情報を予め用意された表示手段に表示させるステップと、
前記ウェブページ情報表示制御装置に構成された信号受信手段が、前記ウェブページ情報が表示された際に前記入力手段に入力された記号を示す信号を受信するステップと、
前記ウェブページ情報表示制御装置に構成された信号処理手段が、前記マップ記憶手段から、当該信号により示される記号に対応づけられたリンク情報を読み出し、当該リンク情報に対応するウェブページ情報を表示するためのウェブページデータを取得するように、前記通信手段を制御するとともに、当該リンク情報に対応する表示データの座標により、前記座標記憶手段の座標を更新するステップと
を含むことを特徴とするウェブページ情報表示制御方法。
【請求項６】
ウェブページ情報を表示するためのウェブページ情報表示制御装置が行うウェブページ情報表示制御方法であって、
前記ウェブページ情報表示制御装置は、
予め用意された入力手段に入力される１以上の文字からなる記号が入力しやすい順に複数記憶される記号記憶手段と、
前記ウェブページデータにより得られるウェブページ情報における別のウェブページ情報を示すリンク情報と前記記号記憶手段に記憶された記号とが対応づけて記憶されるマップ記憶手段と、
予め用意された表示手段における表示領域を２つ以上に分割した各領域に対応付けて、該領域での表示データの選択数を記憶する領域別選択数記憶手段とを備え、
前記ウェブページ情報表示制御方法は、
前記ウェブページ情報表示制御装置に構成された通信手段が、ウェブページ情報を表示するためのウェブページデータを取得するステップと、
前記ウェブページ情報表示制御装置に構成された座標算出手段が、前記ウェブページデータにより得られるウェブページ情報からリンク情報を検索し、当該リンク情報に対応する表示データが表示される位置の座標を算出するステップと、
前記ウェブページ情報表示制御装置に構成された順位付与手段が、前記領域別選択数記憶手段における最多の選択数に対応する領域以外の各領域に表示される表示データに対応するリンク情報の順位が、前記領域別選択数記憶手段において当該領域に対応づけられた選択数より多い選択数に対応づけられた領域の表示データに対応するリンク情報の順位よりも低くなるようにリンク情報に順位を付与するステップと、
前記ウェブページ情報表示制御装置に構成された記号付与手段が、前記記号記憶手段から記号を読み出し、前記リンク情報の順位が高いほど入力しやすい記号となるように前記リンク情報に対応する表示データに当該記号を付与するとともに、当該リンク情報と当該記号とを対応づけて、前記マップ記憶手段に記憶させるステップと、
前記ウェブページ情報表示制御装置に構成された表示制御手段が、前記記号を付与された表示データを含む前記ウェブページ情報を前記表示手段に表示させるステップと、
前記ウェブページ情報表示制御装置に構成された信号受信手段が、前記ウェブページ情報が表示された際に前記入力手段に入力された記号を示す信号を受信するステップと、
前記ウェブページ情報表示制御装置に構成された信号処理手段が、前記マップ記憶手段から、当該信号により示される記号に対応づけられたリンク情報を読み出し、当該リンク情報に対応するウェブページ情報を表示するためのウェブページデータを取得するように、前記通信手段を制御するとともに、当該リンク情報に対応する表示データの座標により、前記座標記憶手段の座標を更新するステップと
を含むことを特徴とするウェブページ情報表示制御方法。
【請求項７】
ウェブページ情報を表示するためのウェブページ情報表示制御装置が行うウェブページ情報表示制御方法であって、
前記ウェブページ情報表示制御装置は、
予め用意された入力手段に入力される１以上の文字からなる記号が入力しやすい順に複数記憶される記号記憶手段と、
前記ウェブページデータにより得られるウェブページ情報における別のウェブページ情報を示すリンク情報と前記記号記憶手段に記憶された記号とが対応づけて記憶されるマップ記憶手段と、
前記リンク情報と該リンク情報の選択回数とが対応づけて記憶される選択回数記憶手段とを備え、
前記ウェブページ情報表示制御方法は、
前記ウェブページ情報表示制御装置に構成された通信手段が、ウェブページ情報を表示するためのウェブページデータを取得するステップと、
前記ウェブページ情報表示制御装置に構成された座標算出手段が、前記ウェブページデータにより得られるウェブページ情報からリンク情報を検索し、当該リンク情報に対応する表示データが表示される位置の座標を算出するステップと、
前記ウェブページ情報表示制御装置に構成された順位付与手段が、前記選択回数記憶手段の選択回数に対応づけられた各リンク情報であって且つ当該選択回数が予め定められた回数より多く且つ互いに等しい各リンク情報に対しては、選択回数が多いリンク情報ほど高い順位となるように、順位を付与し、当該各リンク情報以外のリンク情報に対しては、対応する表示データの座標の位置が、予め定められた基準座標の位置に近いほど高い順位となるように、順位を付与するステップと、
前記ウェブページ情報表示制御装置に構成された記号付与手段が、前記記号記憶手段から記号を読み出し、前記リンク情報の順位が高いほど入力しやすい記号となるように前記リンク情報に対応する表示データに当該記号を付与するとともに、当該リンク情報と当該記号とを対応づけて、前記マップ記憶手段に記憶させるステップと、
前記ウェブページ情報表示制御装置に構成された表示制御手段が、前記記号を付与された表示データを含む前記ウェブページ情報を予め用意された表示手段に表示させるステップと、
前記ウェブページ情報表示制御装置に構成された信号受信手段が、前記ウェブページ情報が表示された際に前記入力手段に入力された記号を示す信号を受信するステップと、
前記ウェブページ情報表示制御装置に構成された信号処理手段が、前記マップ記憶手段から、当該信号により示される記号に対応づけられたリンク情報を読み出し、当該リンク情報に対応するウェブページ情報を表示するためのウェブページデータを取得するように、前記通信手段を制御するとともに、当該リンク情報が選択されたこととして前記選択回数記憶手段を更新するステップと
を含むことを特徴とするウェブページ情報表示制御方法。
【請求項８】
前記記号記憶手段は、前方一致する記号同士を少なくとも並ばないように記憶し、
前記信号処理手段は、前記入力手段に入力された１以上の文字に前方一致しない記号を前記マップ記憶手段から読み出し、読み出した記号が非顕在化されるまたは非表示となるように、前記表示制御手段を制御する
ことを特徴とする請求項５ないし７のいずれかに記載のウェブページ情報表示制御方法。
【請求項９】
請求項１ないし４のいずれかに記載のウェブページ情報表示制御装置としてコンピュータを機能させるためのコンピュータプログラム。
【請求項１０】
請求項９記載のコンピュータプログラムが記録されたコンピュータ読み取り可能な記録媒体。
【発明の詳細な説明】
【技術分野】
【０００１】
本発明は、ウェブページ情報表示制御装置および方法に関するものである。
【背景技術】
【０００２】
近年、インターネットに接続する機能がゲーム機やテレビ装置などに搭載され、これらの装置により、いわゆるウェブサイト／ウェブページを閲覧／ブラウジングできるようになってきた。つまり、これらの装置が、ウェブサイトに記憶されたデータにより得られる情報（ウェブページ情報という）を表示できるようになってきた。
【０００３】
パーソナルコンピュータは卓上に設置されるので、マウスなどのポインティングデバイスを利用して、ウェブサイトを自由に閲覧できるが、テレビ装置は離れた場所から見ることが多いので、テレビ装置にマウスなどを接続し、近くで閲覧の操作を行うことに馴染みがない。
【０００４】
そのため、加速度センサ等を搭載し、離れた場所で空中に持ち上げて使用できるポインティングデバイス、またはいわゆるリモコンを用いる方法が考案されてきた。この方法は、いわゆるリンク先に対応する表示データが画面に表示され、表示データへのフォーカスを上下左右のカーソルキーを用いて移動する方法である。
【０００５】
また、ウェブページのブラウジングに必要なクリック操作を低減するために、シナリオを用いる方法も考案されている（特許文献１参照）。
【先行技術文献】
【特許文献】
【０００６】
【特許文献１】特開２０００−００３３６９号公報
【発明の概要】
【発明が解決しようとする課題】
【０００７】
図２４は、ウェブページ情報の表示例を示す図である。例えば、ニュースの一覧を示すウェブページ情報が表示された際には、ニュースヘッドラインや各ジャンルへのリンクに対応する表示データが多数表示される。図２４は、単に区別できるように、特段の意味を有しない表示データ「リンクＢ」、「リンクＣ」、「リンクＤ」、「リンクＩ」、「リンクＪ」、「リンクＫ」、「リンクＬ」が表示されている様子を示している。
【０００８】
図２４のように表示された１つの表示データの位置にあるフォーカスは、例えば、リモコンで押下されたカーソルキーに対応する方向で最も近い表示データに移動する
そのため、フォーカスを離れた表示データへ移動させるには、カーソルキーを多数回押下しなければならない。
【０００９】
また、表示データが整然と並んでいる場合は、フォーカスがどの表示データに移動するかを予測できるが、そうでない場合は、フォーカスの移動先を実際に確認することが必要であり、その確認が煩わしいという問題があった。
【００１０】
一方、空中に持ち上げて使用できるポインティングデバイスを使用すると、ポインティングデバイスを移動させることにより、フォーカスを離れた表示データへ直接移動させることができるが、表示データの表示領域が小さい場合は、ポインティングデバイスの位置がずれると、その表示データからフォーカスが移動してしまう場合があった。
【００１１】
また、特許文献１に開示されている方法では、表示データ間でフォーカスを移動させるのが困難であった。
【００１２】
したがって、従来にあっては、リンク先のウェブページ情報を表示させるのが困難であった。その結果、あるウェブページ情報の要求される程度が高いにも拘わらず、そのウェブページ情報を表示させるのが困難であった。
【００１３】
本発明は、上記の課題に鑑みてなされたものであり、その目的とするところは、要求される程度の高いリンク先のウェブページ情報を表示しやすくできるウェブページ情報表示制御装置および方法を提供することにある。
【課題を解決するための手段】
【００１４】
上記の課題を解決するために、請求項１の本発明は、ウェブページ情報を表示するためのウェブページデータを取得する通信手段と、予め用意された入力手段に入力される１以上の文字からなる記号が入力しやすい順に複数記憶される記号記憶手段と、前記ウェブページデータにより得られるウェブページ情報における別のウェブページ情報を示すリンク情報と前記記号記憶手段に記憶された記号とが対応づけて記憶されるマップ記憶手段と、前記リンク情報に対応する表示データの座標を表示データの選択ごとに積算し且つ選択回数で除して得られる座標が記憶される座標記憶手段と、前記ウェブページデータにより得られるウェブページ情報からリンク情報を検索し、当該リンク情報に対応する表示データが表示される位置の座標を算出する座標算出手段と、前記リンク情報に対し、対応する表示データの座標の位置が、前記座標記憶手段に記憶された座標の位置に近いほど高い順位となるように、順位を付与する順位付与手段と、前記記号記憶手段から記号を読み出し、前記リンク情報の順位が高いほど入力しやすい記号となるように前記リンク情報に対応する表示データに当該記号を付与するとともに、当該リンク情報と当該記号とを対応づけて、前記マップ記憶手段に記憶させる記号付与手段と、前記記号を付与された表示データを含む前記ウェブページ情報を予め用意された表示手段に表示させる表示制御手段と、前記ウェブページ情報が表示された際に前記入力手段に入力された記号を示す信号を受信する信号受信手段と、前記マップ記憶手段から、当該信号により示される記号に対応づけられたリンク情報を読み出し、当該リンク情報に対応するウェブページ情報を表示するためのウェブページデータを取得するように、前記通信手段を制御するとともに、当該リンク情報に対応する表示データの座標により、前記座標記憶手段の座標を更新する信号処理手段と  を備えることを特徴とするウェブページ情報表示制御装置をもって解決手段とする。
【００１５】
請求項２の本発明は、ウェブページ情報を表示するためのウェブページデータを取得する通信手段と、予め用意された入力手段に入力される１以上の文字からなる記号が入力しやすい順に複数記憶される記号記憶手段と、前記ウェブページデータにより得られるウェブページ情報における別のウェブページ情報を示すリンク情報と前記記号記憶手段に記憶された記号とが対応づけて記憶されるマップ記憶手段と、予め用意された表示手段における表示領域を２つ以上に分割した各領域に対応付けて、該領域での表示データの選択数を記憶する領域別選択数記憶手段と、前記ウェブページデータにより得られるウェブページ情報からリンク情報を検索し、当該リンク情報に対応する表示データが表示される位置の座標を算出する座標算出手段と、前記領域別選択数記憶手段における最多の選択数に対応する領域以外の各領域に表示される表示データに対応するリンク情報の順位が、前記領域別選択数記憶手段において当該領域に対応づけられた選択数より多い選択数に対応づけられた領域の表示データに対応するリンク情報の順位よりも低くなるようにリンク情報に順位を付与する順位付与手段と、前記記号記憶手段から記号を読み出し、前記リンク情報の順位が高いほど入力しやすい記号となるように前記リンク情報に対応する表示データに当該記号を付与するとともに、当該リンク情報と当該記号とを対応づけて、前記マップ記憶手段に記憶させる記号付与手段と、前記記号を付与された表示データを含む前記ウェブページ情報を前記表示手段に表示させる表示制御手段と、前記ウェブページ情報が表示された際に前記入力手段に入力された記号を示す信号を受信する信号受信手段と、前記マップ記憶手段から、当該信号により示される記号に対応づけられたリンク情報を読み出し、当該リンク情報に対応するウェブページ情報を表示するためのウェブページデータを取得するように、前記通信手段を制御するとともに、当該リンク情報に対応する表示データの座標により、前記座標記憶手段の座標を更新する信号処理手段とを備えることを特徴とするウェブページ情報表示制御装置をもって解決手段とする。
【００１６】
請求項３の本発明は、ウェブページ情報を表示するためのウェブページデータを取得する通信手段と、予め用意された入力手段に入力される１以上の文字からなる記号が入力しやすい順に複数記憶される記号記憶手段と、前記ウェブページデータにより得られるウェブページ情報における別のウェブページ情報を示すリンク情報と前記記号記憶手段に記憶された記号とが対応づけて記憶されるマップ記憶手段と、前記リンク情報と該リンク情報の選択回数とが対応づけて記憶される選択回数記憶手段と、前記ウェブページデータにより得られるウェブページ情報からリンク情報を検索し、当該リンク情報に対応する表示データが表示される位置の座標を算出する座標算出手段と、前記選択回数記憶手段の選択回数に対応づけられた各リンク情報であって且つ当該選択回数が予め定められた回数より多く且つ互いに等しい各リンク情報に対しては、選択回数が多いリンク情報ほど高い順位となるように、順位を付与し、当該各リンク情報以外のリンク情報に対しては、対応する表示データの座標の位置が、予め定められた基準座標の位置に近いほど高い順位となるように、順位を付与する順位付与手段と、前記記号記憶手段から記号を読み出し、前記リンク情報の順位が高いほど入力しやすい記号となるように前記リンク情報に対応する表示データに当該記号を付与するとともに、当該リンク情報と当該記号とを対応づけて、前記マップ記憶手段に記憶させる記号付与手段と、前記記号を付与された表示データを含む前記ウェブページ情報を予め用意された表示手段に表示させる表示制御手段と、前記ウェブページ情報が表示された際に前記入力手段に入力された記号を示す信号を受信する信号受信手段と、前記マップ記憶手段から、当該信号により示される記号に対応づけられたリンク情報を読み出し、当該リンク情報に対応するウェブページ情報を表示するためのウェブページデータを取得するように、前記通信手段を制御するとともに、当該リンク情報が選択されたこととして前記選択回数記憶手段を更新する信号処理手段とを備えることを特徴とするウェブページ情報表示制御装置をもって解決手段とする。
【００１７】
請求項４の本発明は、前記記号記憶手段は、前方一致する記号同士を少なくとも並ばないように記憶し、前記信号処理手段は、前記入力手段に入力された１以上の文字に前方一致しない記号を前記マップ記憶手段から読み出し、読み出した記号が非顕在化されるまたは非表示となるように、前記表示制御手段を制御することを特徴とする請求項１ないし３のいずれかに記載のウェブページ情報表示制御装置をもって解決手段とする。
【００１８】
請求項５の本発明は、ウェブページ情報を表示するためのウェブページ情報表示制御装置が行うウェブページ情報表示制御方法であって、前記ウェブページ情報表示制御装置は、予め用意された入力手段に入力される１以上の文字からなる記号が入力しやすい順に複数記憶される記号記憶手段と、前記ウェブページデータにより得られるウェブページ情報における別のウェブページ情報を示すリンク情報と前記記号記憶手段に記憶された記号とが対応づけて記憶されるマップ記憶手段と、前記リンク情報に対応する表示データの座標を表示データの選択ごとに積算し且つ選択回数で除して得られる座標が記憶される座標記憶手段とを備え、前記ウェブページ情報表示制御方法は、前記ウェブページ情報表示制御装置に構成された通信手段が、ウェブページ情報を表示するためのウェブページデータを取得するステップと、前記ウェブページ情報表示制御装置に構成された座標算出手段が、前記ウェブページデータにより得られるウェブページ情報からリンク情報を検索し、当該リンク情報に対応する表示データが表示される位置の座標を算出するステップと、前記ウェブページ情報表示制御装置に構成された順位付与手段が、前記リンク情報に対し、対応する表示データの座標の位置が、前記座標記憶手段に記憶された座標の位置に近いほど高い順位となるように、順位を付与するステップと、前記ウェブページ情報表示制御装置に構成された記号付与手段が、前記記号記憶手段から記号を読み出し、前記リンク情報の順位が高いほど入力しやすい記号となるように前記リンク情報に対応する表示データに当該記号を付与するとともに、当該リンク情報と当該記号とを対応づけて、前記マップ記憶手段に記憶させるステップと、前記ウェブページ情報表示制御装置に構成された表示制御手段が、前記記号を付与された表示データを含む前記ウェブページ情報を予め用意された表示手段に表示させるステップと、前記ウェブページ情報表示制御装置に構成された信号受信手段が、前記ウェブページ情報が表示された際に前記入力手段に入力された記号を示す信号を受信するステップと、前記ウェブページ情報表示制御装置に構成された信号処理手段が、前記マップ記憶手段から、当該信号により示される記号に対応づけられたリンク情報を読み出し、当該リンク情報に対応するウェブページ情報を表示するためのウェブページデータを取得するように、前記通信手段を制御するとともに、当該リンク情報に対応する表示データの座標により、前記座標記憶手段の座標を更新するステップとを含むことを特徴とするウェブページ情報表示制御方法をもって解決手段とする。
【００１９】
請求項６の本発明は、ウェブページ情報を表示するためのウェブページ情報表示制御装置が行うウェブページ情報表示制御方法であって、前記ウェブページ情報表示制御装置は、予め用意された入力手段に入力される１以上の文字からなる記号が入力しやすい順に複数記憶される記号記憶手段と、前記ウェブページデータにより得られるウェブページ情報における別のウェブページ情報を示すリンク情報と前記記号記憶手段に記憶された記号とが対応づけて記憶されるマップ記憶手段と、予め用意された表示手段における表示領域を２つ以上に分割した各領域に対応付けて、該領域での表示データの選択数を記憶する領域別選択数記憶手段とを備え、前記ウェブページ情報表示制御方法は、前記ウェブページ情報表示制御装置に構成された通信手段が、ウェブページ情報を表示するためのウェブページデータを取得するステップと、前記ウェブページ情報表示制御装置に構成された座標算出手段が、前記ウェブページデータにより得られるウェブページ情報からリンク情報を検索し、当該リンク情報に対応する表示データが表示される位置の座標を算出するステップと、前記ウェブページ情報表示制御装置に構成された順位付与手段が、前記領域別選択数記憶手段における最多の選択数に対応する領域以外の各領域に表示される表示データに対応するリンク情報の順位が、前記領域別選択数記憶手段において当該領域に対応づけられた選択数より多い選択数に対応づけられた領域の表示データに対応するリンク情報の順位よりも低くなるようにリンク情報に順位を付与するステップと、前記ウェブページ情報表示制御装置に構成された記号付与手段が、前記記号記憶手段から記号を読み出し、前記リンク情報の順位が高いほど入力しやすい記号となるように前記リンク情報に対応する表示データに当該記号を付与するとともに、当該リンク情報と当該記号とを対応づけて、前記マップ記憶手段に記憶させるステップと、前記ウェブページ情報表示制御装置に構成された表示制御手段が、前記記号を付与された表示データを含む前記ウェブページ情報を前記表示手段に表示させるステップと、前記ウェブページ情報表示制御装置に構成された信号受信手段が、前記ウェブページ情報が表示された際に前記入力手段に入力された記号を示す信号を受信するステップと、前記ウェブページ情報表示制御装置に構成された信号処理手段が、前記マップ記憶手段から、当該信号により示される記号に対応づけられたリンク情報を読み出し、当該リンク情報に対応するウェブページ情報を表示するためのウェブページデータを取得するように、前記通信手段を制御するとともに、当該リンク情報に対応する表示データの座標により、前記座標記憶手段の座標を更新するステップとを含むことを特徴とするウェブページ情報表示制御方法をもって解決手段とする。
【００２０】
請求項７の本発明は、ウェブページ情報を表示するためのウェブページ情報表示制御装置が行うウェブページ情報表示制御方法であって、前記ウェブページ情報表示制御装置は、予め用意された入力手段に入力される１以上の文字からなる記号が入力しやすい順に複数記憶される記号記憶手段と、前記ウェブページデータにより得られるウェブページ情報における別のウェブページ情報を示すリンク情報と前記記号記憶手段に記憶された記号とが対応づけて記憶されるマップ記憶手段と、前記リンク情報と該リンク情報の選択回数とが対応づけて記憶される選択回数記憶手段とを備え、前記ウェブページ情報表示制御方法は、前記ウェブページ情報表示制御装置に構成された通信手段が、ウェブページ情報を表示するためのウェブページデータを取得するステップと、前記ウェブページ情報表示制御装置に構成された座標算出手段が、前記ウェブページデータにより得られるウェブページ情報からリンク情報を検索し、当該リンク情報に対応する表示データが表示される位置の座標を算出するステップと、前記ウェブページ情報表示制御装置に構成された順位付与手段が、前記選択回数記憶手段の選択回数に対応づけられた各リンク情報であって且つ当該選択回数が予め定められた回数より多く且つ互いに等しい各リンク情報に対しては、選択回数が多いリンク情報ほど高い順位となるように、順位を付与し、当該各リンク情報以外のリンク情報に対しては、対応する表示データの座標の位置が、予め定められた基準座標の位置に近いほど高い順位となるように、順位を付与するステップと、前記ウェブページ情報表示制御装置に構成された記号付与手段が、前記記号記憶手段から記号を読み出し、前記リンク情報の順位が高いほど入力しやすい記号となるように前記リンク情報に対応する表示データに当該記号を付与するとともに、当該リンク情報と当該記号とを対応づけて、前記マップ記憶手段に記憶させるステップと、前記ウェブページ情報表示制御装置に構成された表示制御手段が、前記記号を付与された表示データを含む前記ウェブページ情報を予め用意された表示手段に表示させるステップと、前記ウェブページ情報表示制御装置に構成された信号受信手段が、前記ウェブページ情報が表示された際に前記入力手段に入力された記号を示す信号を受信するステップと、前記ウェブページ情報表示制御装置に構成された信号処理手段が、前記マップ記憶手段から、当該信号により示される記号に対応づけられたリンク情報を読み出し、当該リンク情報に対応するウェブページ情報を表示するためのウェブページデータを取得するように、前記通信手段を制御するとともに、当該リンク情報が選択されたこととして前記選択回数記憶手段を更新するステップとを含むことを特徴とするウェブページ情報表示制御方法をもって解決手段とする。
【００２１】
請求項８の本発明は、前記記号記憶手段は、前方一致する記号同士を少なくとも並ばないように記憶し、前記信号処理手段は、前記入力手段に入力された１以上の文字に前方一致しない記号を前記マップ記憶手段から読み出し、読み出した記号が非顕在化されるまたは非表示となるように、前記表示制御手段を制御することを特徴とする請求項５ないし７のいずれかに記載のウェブページ情報表示制御方法をもって解決手段とする。
【００２２】
請求項９の本発明は、請求項１ないし４のいずれかに記載のウェブページ情報表示制御装置としてコンピュータを機能させるためのコンピュータプログラムをもって解決手段とする。
【００２３】
請求項１０の本発明は、請求項９記載のコンピュータプログラムが記録されたコンピュータ読み取り可能な記録媒体をもって解決手段とする。
【発明の効果】
【００２４】
本発明によれば、リンク情報に対応する表示データの座標を表示データの選択ごとに積算し且つ選択回数で除して得られる座標が記憶される座標記憶手段を設け、順位付与手段は、リンク情報に対し、対応する表示データの座標の位置が、座標記憶手段に記憶された座標の位置に近いほど高い順位となるように、順位を付与し、信号処理手段は、記号が入力されたなら、対応する表示データの座標により、座標記憶手段の座標を更新するので、過去に表示させたリンク先のウェブページや、その際に選択した表示データに関連するであろう、その近くの表示データによって表示されるリンク先のウェブページを表示しやすくすることができる。
【００２５】
また、本発明によれば、順位付与部手段は、領域別選択数記憶手段における最多の選択数に対応する領域以外の各領域に表示される表示データに対応するリンク情報の順位が、領域別選択数記憶手段において当該領域に対応づけられた選択数より多い選択数に対応づけられた領域の表示データに対応するリンク情報の順位よりも低くなるようにリンク情報に順位を付与し、信号処理手段は、記号が入力されたなら、対応する表示データの座標により、領域別選択数記憶部の選択数を更新するので、選択数が多い領域のリンク情報に対応する記号ほど入力しやすくすることができる。
【００２６】
また、本発明によれば、順位付与手段は、選択回数記憶手段の選択回数に対応づけられた各リンク情報であって且つ当該選択回数が予め定められた回数より多く且つ互いに等しい各リンク情報に対しては、選択回数が多いリンク情報ほど高い順位となるように、順位を付与し、当該各リンク情報以外のリンク情報に対しては、対応する表示データの座標の位置が、予め定められた基準座標の位置に近いほど高い順位となるように、順位を付与し、信号処理手段は、記号が入力されたなら、対応するリンク情報が選択されたこととして選択回数記憶手段を更新するので、選択回数が多いリンク情報に対応する記号ほど入力しやすくすることができる。
【図面の簡単な説明】
【００２７】
【図１】第１の実施の形態に係るウェブページ情報表示制御装置を使用したウェブページ表示システムの構成図である。
【図２】リモコン２の外観図である。
【図３】テレビ装置１の構成図である。
【図４】記号記憶部１０５の内容を例示した図である。
【図５】マップ記憶部１０６の内容を例示した図である。
【図６】ウェブページ表示システムの動作の流れを示すフローチャートである。
【図７】ウェブページ情報の表示例を示す図である。
【図８】記号を含むウェブページ情報の表示例を示す図である。
【図９】スクロール後の記号を含むウェブページ情報の表示例を示す図である。
【図１０】減算後の基準ｙ座標を使用して順位付与を行った後のウェブページ情報の表示例を示す図である。
【図１１】加算後の基準ｙ座標を使用して順位付与を行った後のウェブページ情報の表示例を示す図である。
【図１２】第３の実施の形態で使用されるテレビ装置１Ａの構成図である。
【図１３】第４の実施の形態で使用されるテレビ装置１Ｂの構成図である。
【図１４】表示部１０２における表示領域が２つ以上の領域に分割された様子を示す図である。
【図１５】領域別選択数記憶部１１４の内容を例示した図である。
【図１６】分割された表示領域に表示されたウェブページ情報の表示例を示す図である。
【図１７】第５の実施の形態で使用されるテレビ装置１Ｃの構成図である。
【図１８】第６の実施の形態においてウェブページ情報が記号入力オフモードのときに表示された表示例を示す図である。
【図１９】図１８のウェブページ情報が表示されているときに記号入力オンモードになってからリモコンのボタンが押されていく過程での表示例を示す図である。
【図２０】第６の実施の形態における図１９と同様の過程での表示例を示す図である。
【図２１】記号を数字としたときの記号記憶部１０５の内容を例示した図である。
【図２２】記号を数字としたときのウェブページ情報の表示例を示す図である。
【図２３】ボタン数の少ないリモコン２の外観図である。
【図２４】従来におけるウェブページ情報の表示例を示す図である。
【発明を実施するための形態】
【００２８】
以下、本発明の実施の形態を図面を参照して説明する。
【００２９】
［第１の実施の形態］
図１は、第１の実施の形態に係るウェブページ情報表示制御装置を使用したウェブページ表示システムの構成図である。
【００３０】
ウェブページ表示システムは、テレビジョン放送波を受信して映像を表示するテレビ装置１と、テレビ装置１を遠隔制御するリモートコントローラ（以下、「リモコン」という）２と、図示しないインターネットとの通信を行うためのモデム（変復調装置）３を備える。テレビ装置１は、モデム３を介して、インターネットに接続されている。
なお、モデムの代わりにターミナルアダプタやルータなどのネットワーク機器を用いてインターネットに接続しても良い。
【００３１】
ウェブページ表示システムは、テレビ装置１の表示部にいわゆるウェブページ（以下、ウェブページ情報という）を表示する際、別のウェブページ情報を示すリンク情報に対応する表示データに記号を付与して表示し、その記号をリモコン２により入力することで、その記号に対応するウェブページ情報を表示させるものである。
【００３２】
ウェブページ表示システムでは、記号が表示される状態を記号入力オンモードといい、一方、記号が表示されない状態を記号入力オフモードという。
【００３３】
記号入力オンモードでは、上記のように、記号入力により別のウェブページ情報を表示させる動作だけが可能であり、一方、記号入力オフモードでは、かかる動作以外の動作、例えば、ウェブページ情報をスクロールさせる動作、以前に表示されたウェブページ情報を再表示させる動作などが可能である。
【００３４】
図２は、リモコン２の外観図である。
【００３５】
リモコン２は、電源をオンオフするための電源ボタン２１と、ウェブページ情報を表示させるためのネットボタン２２と、テレビ装置１に表示されたウェブページ情報をスクロールさせるための方向ボタン２３と、表示されたウェブページ情報内の表示データに記号を付与するための確定ボタン２４と、各種の数字入力に使用される数字ボタン２５と、チャネルを変えるためのチャネルボタン２６と、音量を変えるための音量ボタン２７を備える。方向ボタン２３は、上下左右の方向ごとに１個ずつ設けられている。数字ボタン２５は、１から１２までの各数字ごとに１個ずつ設けられている。チャネルボタン２６は、実際には、チャネルを送るためのボタンとチャネルを戻すためのボタンとからなる。音量ボタン２７は、実際には、音量を上げるボタンと音量を下げるボタンとからなる。
【００３６】
各ボタンには、特有の情報が割り当てられており、これを「文字」という。また、１以上の文字からなるものを記号という。
【００３７】
例えば、左方向の方向ボタン２３を押下し、続けて、右方向の方向ボタン２３を押下すると、左方向の方向ボタン２３に割り当てられた文字の後ろに右方向の方向ボタン２３に割り当てられた文字を続けてなる文字列すなわち記号がリモコン２内に生じる。本実施の形態では、このような記号であって、記号入力オンモードのときに生じたものだけを「記号」という。また、リモコン２でのこのような操作を「記号の入力」という。
【００３８】
図３は、テレビ装置１の構成図である。なお、テレビ装置１および他の実施の形態で使用されるテレビ装置は、ウェブページ情報表示制御装置に相当するものである。
【００３９】
テレビ装置１は、インターネットとの通信を行う通信部１０１と、ウェブページ情報が表示される表示部１０２と、ウェブページ情報から別のウェブページ情報を示すリンク情報を検索し、当該リンク情報に対応する表示データが表示される位置の座標を算出する座標算出部１０３と、当該リンク情報に対し、対応する表示データの座標の位置が、予め定められた基準座標の位置に近いほど高い順位となるように、順位を付与する順位付与部１０４と、リモコン２に入力される記号が入力しやすい順に複数記憶される記号記憶部１０５と、リンク情報と記号記憶部１０５に記憶された記号とが対応づけて記憶されるマップ記憶部１０６と、記号記憶部１０５から記号を読み出し、リンク情報の順位が高いほど入力しやすい記号となるようにリンク情報に対応する表示データに記号を付与するとともに、リンク情報と記号とを対応づけて、マップ記憶部１０６に記憶させる記号付与部１０７と、記号を付与された表示データを含むウェブページ情報を表示させるブラウザ部１０８と、ウェブページ情報が表示された際にリモコン２に入力された記号を示す信号を受信する信号受信部１０９と、マップ記憶部１０６から、信号により示される記号に対応づけられたリンク情報を読み出し、当該リンク情報に対応するウェブページ情報を表示するためのウェブページデータを取得するように、通信部１０１を制御する信号処理部１１０と、ウェブページ情報がスクロールされた際に当該スクロールの方向を示す情報が記憶されるスクロール方向記憶部１１１と、リモコン２に入力された記号により他のウェブページ情報を表示させることができる記号入力オンモードを示すモード情報または記号により他のウェブページ情報を表示させることができない記号入力オフモードを示すモード情報が記憶されるモード記憶部１１２を備える。モード記憶部１１２には、記号入力オフモードを示すモード情報が初期値として記憶される。テレビ装置１では、表示部１０２を除く部分が、ウェブページ情報表示制御装置に該当する。
【００４０】
なお、スクロール方向記憶部１１１は、後述するように、スクロールの方向によって動作を変えるためのものであり、動作を変える必要がなければ、スクロール方向記憶部１１１は不要である。
【００４１】
図４は、記号記憶部１０５の内容を例示した図である。
【００４２】
記号記憶部１０５には、複数の記号が、入力しやすい順に記憶されている。記号は、１以上の文字からなるものである。記号の入力しやすさは、被験者実験などで評価される。
【００４３】
図４では、「←」が左方向の方向ボタン２３を押下したときに生じる文字または該文字からなる記号を示す。「↑」は上方向の方向ボタン２３を押下したときに生じる文字または該文字からなる記号を示す。「→」は右方向の方向ボタン２３を押下したときに生じる文字または該文字からなる記号を示す。「↓」は下方向の方向ボタン２３を押下したときに生じる文字または該文字からなる記号を示す。
【００４４】
記号は、短いほど入力しやすいわけではない。ここで、例えば、左方向の方向ボタン２３を押下し、続けて、右方向の方向ボタンを押下することを「←→」と表記し、他の操作についても同様に表記すると、「←→」や「→←」よりも「→→↑」や「↑↑→」などの方が入力しやすくしかも間違えずに入力できる場合がある。
【００４５】
図５は、マップ記憶部１０６の内容を例示した図である。
【００４６】
マップ記憶部１０６には、ウェブページ情報のｈｒｅｆ属性に記憶された複数のＵＲＬのそれぞれに記号と表示データが対応づけて記憶されることとなる。ＵＲＬは、他のウェブページ情報を表示するためのものであり、リンク情報という。
【００４７】
（ウェブページ表示システムの動作）
図６は、第１の実施の形態に係るウェブページ表示システムの動作の流れを示すフローチャートである。
【００４８】
テレビ装置１では、信号受信部１０９が、リモコン２から信号が送出されるのを待機する。
【００４９】
一方、リモコン２は、ネットボタン２２が押下されると、該ボタンに対応する信号（赤外線や電磁波）を送出する。電磁波は、例えばBluetooth(登録商標)で使用されるものである。
【００５０】
信号受信部１０９は、信号を受信し、同じ意味の信号を信号処理部１１０に送信する。信号処理部１１０は、信号を受信し、これがウェブページ情報を表示させるための信号か否かを判定する（Ｓ１）。
【００５１】
ここでは、ＹＥＳと判定されるので、信号処理部１１０は、予め初期設定されたウェブページ情報を表示するためのコマンドをブラウザ部１０８に送信する。
【００５２】
ブラウザ部１０８は、コマンドを受信し、このコマンドに予め対応づけて記憶してあったＵＲＬに対応するウェブサーバとＨＴＴＰを用いて通信してＨＴＭＬ(Hyper Text Markup Language)データを取得する（Ｓ３）。ブラウザ部１０８は、ＨＴＭＬデータをＤＯＭ(Document Object Model)ツリーに変換し、座標算出部１０３に出力する。なお、ＤＯＭツリーは、後にレンダリングされて表示されるものであるから、前述のウェブページ情報に該当する。また、ＨＴＭＬデータによりウェブページ情報が得られるので、ＨＴＭＬデータをウェブページデータという。
【００５３】
ＤＯＭツリーは、各表示データごとの要素からなる。各要素は、対応する表示データを有する。表示データは、要素のinnerHTML属性に記憶される。要素は、他の要素を親としたときに子である子の要素と、そうでない最上位の要素に分かれる。
【００５４】
最上位の要素は、ＤＯＭツリーのレンダリング結果（表示可能な全領域）における左上隅を基準とした座標（絶対座標ともいう）を有する。絶対座標は、横方向のｘ座標と縦方向のｙ座標を有し、それぞれ要素のabsoluteLeft属性、absoluteTop属性に記憶される。最上位の要素は、それぞれ０を記憶したoffsetLeft属性、offsetTop属性を有する。
【００５５】
一方、子の要素は、親の要素に対応する表示場所の左上隅を基準とした座標（相対座標ともいう）を有する。相対座標は、同様にｘ座標とｙ座標を有し、それぞれ要素のoffsetLeft属性、offsetTop属性に記憶される。
【００５６】
例えば、ＤＯＭツリー内の複数の要素のぞれぞれには、＜Ａ＞タグとリンク先のＵＲＬ、すなわちハイパーリンクが設定されている。
【００５７】
座標算出部１０３は、ＤＯＭツリーからハイパーリンクが設定されている要素を検索し、検索した各子の要素につき絶対座標を算出する（Ｓ５）。まずは要素から相対座標を読み出し、各ｘ座標、ｙ座標につき、読み出した要素から親を辿りながら、最上位の要素まで積算する。積算した結果が、子の要素の絶対座標の各ｘ座標、ｙ座標となる。座標算出部１０３は、各子の要素につき、absoluteLeft属性、absoluteTop属性を作成し、それぞれに絶対座標の各ｘ座標、ｙ座標を記憶させる。
【００５８】
例えば、要素ｙ１の親要素が要素ｙ２、要素ｙ２の親要素が最上位の要素ｙ３とし、要素ｙ３のabsoluteLeft属性、offsetLeft属性が０、要素ｙ２のoffsetLeft属性が５０、要素ｙ１のoffsetLeft属性が１２０とする。この場合、要素ｙ１のabsoluteLeft属性は１７０となる。
【００５９】
ブラウザ部１０８は、ＤＯＭツリーをレンダリングし、レンダリングの結果（以下、ウェブページＷＰという）の一部（部分ウェブページＷＰＤという）を表示部１０２に表示させる（Ｓ７）。
【００６０】
図７は、ウェブページＷＰにおける部分ウェブページＷＰＤの位置を示す図である。
【００６１】
図７および以下に示す同様の図には、表示データ（「リンクＡ」など）が示されているが、表示データは、単に区別できるように特段の意味を有しない「リンクＡ」のような表現で示されている。
【００６２】
図７は、ハイパーリンクが設定された各要素内の表示データを示している。図７は、部分ウェブページＷＰＤに含まれない表示データ「リンクＡ」、「リンクＨ」、「リンクＥ」、「リンクＦ」、「リンクＭ」、「リンクＮ」、「リンクＧ」が表示されず、一方、部分ウェブページＷＰＤに含まれる表示データ「リンクＢ」、「リンクＣ」、「リンクＤ」、「リンクＩ」、「リンクＪ」、「リンクＫ」、「リンクＬ」が表示されている様子を示している。
【００６３】
ステップＳ７の後、信号受信部１０９は、リモコン２から信号が送出されるのを待機する。
【００６４】
さて、リモコン２は、図７のような状態で、確定ボタン２４が押下されると、記号入力オンモードを示す信号を送出する。
【００６５】
信号受信部１０９は、信号を受信し、同じ意味の信号を信号処理部１１０に送信する。信号処理部１１０は、信号を受信し、これがウェブページ情報を表示させるための信号か否かを判定する（Ｓ１）。
【００６６】
ここでは、ＮＯと判定されるので、信号処理部１１０は、記号入力オフモードを記号入力オンモードに変更すべきか否かを判定する（Ｓ１１）。具体的には、信号処理部１１０は、モード記憶部１１２からモード情報を読み出し、これが記号入力オフモードを示すモード情報であり、かつ、受信した信号が記号入力オンモードを示す信号であるか否かを判定する（Ｓ１１）。
【００６７】
ここでは、ＹＥＳと判定されるので、信号処理部１１０は、記号入力オフモードを記号入力オンモードに変更する（Ｓ１３）。具体的には、信号処理部１１０は、モード記憶部１１２において、記号入力オフモードを示すモード情報に代えて、記号入力オンモードを示すモード情報を記憶させる（Ｓ１３）。
【００６８】
次に、順位付与部１０４は、表示部１０２を上下に均等に二分するラインを構成する各点において同一のｙ座標（基準ｙ座標という）を求める。順位付与部１０４は、基準ｙ座標を、レンダリング結果（表示可能な全領域）における左上隅を基準として求める。
【００６９】
このような基準ｙ座標を求めるのは、ウェブページ情報は、要求される程度の高いリンク先のウェブページ情報に対応する表示データを基準ｙ座標の位置に配置することが多いためである。
【００７０】
次に、順位付与部１０４は、ＤＯＭツリーからＵＲＬ（リンク情報）、具体的には、そのＵＲＬを含む要素を検索する（Ｓ１５）。順位付与部１０４は、図７の例では、表示データ「リンクＢ」、「リンクＣ」、「リンクＤ」、「リンクＩ」、「リンクＪ」、「リンクＫ」、「リンクＬ」に対応する要素をＤＯＭツリーから検索する（Ｓ１５）。
【００７１】
次に、順位付与部１０４は、検索した要素のリンク情報に対し、対応する表示データの座標の位置が、基準ｙ座標の位置に近いほど高い順位となるように、順位を付与する（Ｓ１７）。具体的には、順位付与部１０４は、検索した要素につき、要素内のａｂｓｏｌｕｔｅＴｏｐ属性に記憶されたｙ座標と基準ｙ座標との差を求め、差が高い順に高い順位を要素に付与する（Ｓ１７）。また、順位付与部１０４は、差が同じ要素については、要素内のａｂｓｏｌｕｔｅＬｅｆｔ属性に記憶されたｘ座標の小さい順に高い順位を要素に付与する（Ｓ１７）。
【００７２】
ここでは、各要素に対し、図７の表示データ「リンクＩ」、「リンクＪ」、「リンクＫ」、「リンクＣ」、「リンクＤ」、「リンクＢ」、「リンクＬ」の順で高い順位が付与されたこととする。
【００７３】
記号付与部１０７は、記号記憶部１０５から記号を読み出し、各要素内の表示データの末尾に付け加える（Ｓ１９）。記号付与部１０７は、付け加えられる記号が、要素の順位が高いほど入力しやすい記号となるようにする。これにより、ＤＯＭツリーは、記号を付与された表示データを含むものとなる。
【００７４】
また、記号付与部１０７は、図５に示すように、要素のｈｒｅｆ属性に記憶されたＵＲＬと記号と表示データを対応づけて、マップ記憶部１０６に記憶させる（Ｓ１９）。  
【００７５】
ブラウザ部１０８は、記号を付与されたＤＯＭツリーをレンダリングし、レンダリングの結果（以下、ウェブページＷＰ’という）の一部（部分ウェブページＷＰＤ’という）を表示部１０２に表示させる（Ｓ７）。
【００７６】
図８は、ウェブページＷＰ’における部分ウェブページＷＰＤ’の位置を示す図である。
【００７７】
図８は、部分ウェブページＷＰＤ’に含まれる表示データ「リンクＢ」、「リンクＣ」、「リンクＤ」、「リンクＩ」、「リンクＪ」、「リンクＫ」、「リンクＬ」と、各表示データの末尾に、対応する記号が表示されている様子を示している。図８のラインＬは、表示部１０２を上下に均等に二分するラインであり、ラインＬに近い表示データであるほど、入力しやすい記号がその末尾に表示されている。
【００７８】
ステップＳ７の後、信号受信部１０９は、リモコン２から信号が送出されるのを待機する。
【００７９】
さて、リモコン２は、図８の状態で、表示された記号が入力されると、その記号を示す信号を送出する。
【００８０】
信号受信部１０９は、信号を受信し、同じ意味の信号を信号処理部１１０に送信する。信号処理部１１０は、信号を受信し、これがウェブページ情報を表示させるための信号か否かを判定する（Ｓ１）。
【００８１】
ここでは、ＮＯと判定されるので、信号処理部１１０は、記号入力オフモードを記号入力オンモードに変更すべきか否かを判定する（Ｓ１１）。
【００８２】
ここでは、ＮＯと判定されるので、信号処理部１１０は、現在、記号入力オンモードであるか否かを判定する（Ｓ２１）。具体的には、信号処理部１１０は、読み出したモード情報が記号入力オンモードを示すモード情報であるか否かを判定する（Ｓ２１）。
【００８３】
ここでは、ＹＥＳと判定されるので、信号処理部１１０は、記号入力が行われたか否かを判定する（Ｓ２３）。具体的には、信号処理部１１０は、受信した信号が、マップ記憶部１０６に記憶された記号を示す信号であるか否かを判定する（Ｓ２３）。
【００８４】
ここでＮＯと判定された場合、信号受信部１０９は、リモコン２から信号が送出されるのを待機する。
【００８５】
ここでは、ＹＥＳと判定されるので、信号処理部１１０は、記号入力オンモードを記号入力オフモードに変更する（Ｓ２５）。具体的には、信号処理部１１０は、モード記憶部１１２において、記号入力オンモードを示すモード情報に代えて、記号入力オフモードを示すモード情報を記憶させる（Ｓ２５）。
【００８６】
次に、信号処理部１１０は、信号により示される記号に対応づけてマップ記憶部１０６に記憶されたＵＲＬ（リンク情報）を読み出し、このＵＲＬを含むコマンドをブラウザ部１０８に送信する（Ｓ２７）。
【００８７】
ブラウザ部１０８は、コマンドを受信し、このコマンド内のＵＲＬに対応するウェブサーバとＨＴＴＰを用いて通信してＨＴＭＬデータを取得する（Ｓ３）。
【００８８】
その後、前述の動作により、入力された記号に対応するウェブページが表示される（Ｓ７）。
【００８９】
さて、リモコン２は、図７のような状態で、いわゆる下方向のスクロールをさせるべく、下方向の方向ボタン２３が押下されると、下方向のスクロールを示す信号を送出する。信号受信部１０９は、信号を受信し、同じ意味の信号を信号処理部１１０に送信する。信号処理部１１０は、信号を受信し、これがウェブページ情報を表示させるための信号か否かを判定する（Ｓ１）。
【００９０】
ここでは、ＮＯと判定されるので、信号処理部１１０は、記号入力オフモードを記号入力オンモードに変更すべきか否かを判定する（Ｓ１１）。
【００９１】
ここでは、ＮＯと判定されるので、信号処理部１１０は、現在、記号入力オンモードであるか否かを判定する（Ｓ２１）。
【００９２】
ここでは、ＮＯと判定されるので、受信した信号に応じた処理を行う（Ｓ３１）。ここでは、下方向のスクロール後の表示結果を得るための準備を行うが、この信号が音量ボタン２７の操作により生じたものなら、信号処理部１１０は、音量を変える処理を行う。
【００９３】
次に、信号処理部１１０は、受信した信号がスクロールを示す信号であるか否かを判定する（Ｓ３３）。ＮＯと判定された場合、信号受信部１０９は、リモコン２から信号が送出されるのを待機する。
【００９４】
ここでは、ＹＥＳと判定されるので、信号処理部１１０は、スクロールの方向を示す情報をスクロール方向記憶部１１１に記憶させる（Ｓ３５）。
【００９５】
なお、ステップＳ３３、Ｓ３５は、後述するように、スクロールの方向によって動作を変えるためのものであり、動作を変える必要がなければ行わなくてもよい。
【００９６】
次に、ブラウザ部１０８は、下方向のスクロール後の表示結果が得られるように、ＤＯＭツリーをレンダリングし、レンダリングの結果（ウェブページ）の一部（部分ウェブページ）を表示部１０２に表示させる（Ｓ７）。
【００９７】
ステップＳ７の後、信号受信部１０９は、リモコン２から信号が送出されるのを待機する。
【００９８】
この状態で、リモコン２の確定ボタン２４が押下されると、上記と同様に、ブラウザ部１０８は、ＤＯＭツリーをレンダリングし、レンダリングの結果（以下、ウェブページＷＰ’’という）の一部（部分ウェブページＷＰＤ’’という）を表示部１０２に表示させる（Ｓ７）。
【００９９】
図９は、ウェブページＷＰ’’における部分ウェブページＷＰＤ’’の位置を示す図である。
【０１００】
図９に示すように、ステップＳ３５での処理により、ステップＳ７では、下方向のスクロール後のウェブページ情報が表示される。
【０１０１】
また、図９は、部分ウェブページＷＰＤ’’に含まれる表示データ「リンクＤ」、「リンクＪ」、「リンクＫ」、「リンクＬ」、「リンクＥ」、「リンクＦ」、「リンクＭ」と、各表示データの末尾に、対応する記号が表示されている様子を示している。図９のラインＬ’は、表示部１０２を上下に均等に二分するラインであり、ラインＬ’に近い表示データであるほど、入力しやすい記号がその末尾に表示されている。
【０１０２】
ステップＳ７の後、信号受信部１０９は、リモコン２から信号が送出されるのを待機する。
【０１０３】
第１の実施の形態によれば、通信部１０１（通信手段）が、ウェブページ情報を表示するためのウェブページデータを取得し（Ｓ１）、座標算出部１０３（座標算出手段）が、ウェブページデータにより得られるウェブページ情報から別のウェブページ情報を示すリンク情報を検索し、当該リンク情報に対応する表示データが表示される位置の座標を算出し（Ｓ５）、順位付与部１０４（順位付与手段）が、リンク情報に対し、対応する表示データの座標の位置が、予め定められた基準座標の位置に近いほど高い順位となるように、順位を付与し（Ｓ１７）、記号付与部１０７（記号付与手段）が、記号記憶部１０５（記号記憶手段）から記号を読み出し、リンク情報の順位が高いほど入力しやすい記号となるようにリンク情報に対応する表示データに記号を付与するとともに、リンク情報と記号とを対応づけて、マップ記憶部１０６（マップ記憶手段）に記憶させ、ブラウザ部１０８（表示制御手段）が、記号を付与された表示データを含むウェブページ情報を表示部１０２（表示手段）に表示させ、信号受信部１０９（信号受信手段）が、ウェブページ情報が表示された際にリモコン２に（入力手段）入力された記号を示す信号を受信し、信号処理部１１０（信号処理手段）が、マップ記憶部１０６から、信号により示される記号に対応づけられたリンク情報を読み出し、当該リンク情報に対応するウェブページ情報を表示するためのウェブページデータを取得するように、通信部１０１を制御することで、基準座標の位置に近い表示データに対応するリンク先、つまり、要求される程度の高いリンク先のウェブページ情報を表示しやすくできる。
【０１０４】
［第２の実施の形態］
次に、第２の実施の形態について、第１の実施の形態との差異を中心に説明する。
【０１０５】
第１の実施の形態では、基準ｙ座標は、表示部１０２を上下に均等に二分するラインを示すものであり、この基準ｙ座標を使用してＤＯＭツリーの要素に順位を付与したが、以下のようにしてもよい。
【０１０６】
順位付与部１０４は、ＤＯＭツリーの要素に順位を付与する前に、スクロール方向記憶部１１１に記憶された情報を読み出す。順位付与部１０４は、読み出した情報により示されるスクロールの方向が上方向であるなら、基準ｙ座標から所定の値を減算し、順位付与は減算後の基準ｙ座標を使用して行う。順位付与部１０４は、読み出した情報により示されるスクロールの方向が下方向であるなら、基準ｙ座標に所定の値（例えば、上方向のときの値と同じ値）を加算し、順位付与は加算後の基準ｙ座標を使用して行う。
【０１０７】
つまり、順位付与部は、基準ｙ座標の位置がスクロールの方向に移動するように基準ｙ座標を変更し、順位付与は、変更後の基準ｙ座標を使用して行うのである。
【０１０８】
図１０は、減算後の基準ｙ座標を使用して順位付与を行った後のウェブページ情報の表示例を示す図である。
【０１０９】
図１０のラインＬＵは、減算後の基準ｙ座標によって示されるラインであり、表示部１０２を上下に均等に二分するライン（図示せず）よりも、上方向つまりスクロールの方向にずれて位置している。そして、ラインＬＵに近い表示データであるほど、入力しやすい記号がその末尾に表示されている。
【０１１０】
図１１は、加算後の基準ｙ座標を使用して順位付与を行った後のウェブページ情報の表示例を示す図である。
【０１１１】
図１１のラインＬＤは、加算後の基準ｙ座標によって示されるラインであり、表示部１０２を上下に均等に二分するライン（図示せず）よりも、下方向つまりスクロールの方向にずれて位置している。そして、ラインＬＤに近い表示データであるほど、入力しやすい記号がその末尾に表示されている。
【０１１２】
ラインＬＵ、ＬＤに近い表示データは、スクロール前には表示されていない場合があり、かかる表示データに対応するウェブページ情報を表示させたい場合にスクロールがなされるのであるから、かかる表示データに入力しやすい記号を付与することで、かかる所望のウェブページ情報を表示させやすくすることができる。
【０１１３】
また、記号付与部１０７は、同一のＵＲＬを有する要素が複数ある場合は、順位が最高のＵＲＬに付与される同一の記号を各要素に付与し、各ＵＲＬと同一の記号を対応づけて、マップ記憶部１０６に記憶させてもよい。これにより、多くの種類の記号が表示されてしまって、その選択の妨げになるのを防止することができる。
【０１１４】
［第３の実施の形態］
次に、第３の実施の形態について、第１、第２の実施の形態との差異を中心に説明する。
【０１１５】
図１２は、第３の実施の形態で使用されるテレビ装置１Ａの構成図である。
【０１１６】
テレビ装置１Ａは、図３に示したテレビ装置１に対し、さらに座標記憶部１１３を設けた構成である。
【０１１７】
座標記憶部１１３には、これまで選択した表示データのｙ座標の平均値である座標ｍｎが、これまで表示データを選択した回数ｎとともに記憶されている。座標ｍｎは、つまりは、表示データの選択ごとに積算した表示データの座標を選択回数で除して得られるものである。
【０１１８】
信号処理部１１０は、表示データが選択されたなら、表示部１０２における当該表示データのｙ座標ｙを算出する。この座標ｙは、ＤＯＭツリーのレンダリング結果（表示可能な全領域）における左上隅を基準とした座標（絶対座標）ではなく、表示部１０２の左上隅を基準とした座標である。
【０１１９】
次に、信号処理部１１０は、座標記憶部１１３から回数ｎと座標ｍｎを読み出す。
【０１２０】
次に、信号処理部１１０は、回数ｎに１を加算し、加算後の回数ｎを座標記憶部１１３に記憶された加算前の回数ｎに代えて記憶させる。
【０１２１】
次に、信号処理部１１０は、以下の式に、読み出した座標ｍｎと加算後の回数ｎを代入して、新たな平均値の座標ｍｎを求め、求めた座標ｍｎを座標記憶部１１３に記憶された座標ｍｎに代えて記憶させる。
新たな平均値の座標ｍｎ＝（ｍｎ×（ｎ−１）＋ｙ）／ｎ
【０１２２】
そして、順位付与部１０４は、リンク情報に順位を付与する際、座標記憶部１１３から座標ｍｎを読み出し、座標ｍｎを基準ｙ座標として利用する。
【０１２３】
これにより、過去の選択した表示データの平均の位置（座標ｍｎの位置）に近い表示データに対応する記号ほど入力しやすくなり、よって、過去に表示させたリンク先のウェブページや、その際に選択した表示データに関連するであろう、その近くの表示データによって表示されるリンク先のウェブページを表示しやすくすることができる。
【０１２４】
例えば、過去にあるシャツの名前（表示データ）を選択して、そのシャツの詳細（リンク先のウェブページ）を見たユーザは、その詳細のページを再び見るに際して、記号の入力がしやすい。また、そのシャツの名前（表示データ）の近くに、例えば、色違いのシャツの名前（表示データ）が表示されている場合、その色違いのシャツの詳細（リンク先のウェブページ）を見る際においても、記号の入力がしやすい。
【０１２５】
なお、信号処理部１１０は、ＤＯＭツリーのレンダリング結果（表示可能な全領域）の最上部が表示されているか否かをブラウザ部１０８に問い合わせ、最上部が表示されているとの回答があった場合には、上記のように座標記憶部１１３の回数ｎと座標ｍｎを更新せず、そして、順位付与部１０４は、同じように、最上部が表示されているとの回答があった場合には、表示部１０２を上下に均等に二分するラインを示す基準ｙ座標または、この基準ｙ座標をスクロール方向によって変更した後の基準ｙ座標を使用して順位を付与することとするのがよい。
【０１２６】
これは、最上部が表示されている場合、ユーザは、過去にどの表示データを選択したかを考慮せずに、ウェブページを見ていることが多いからである。
【０１２７】
したがって、第３の実施の形態によれば、リンク情報に対応する表示データの座標を表示データの選択ごとに積算し且つ選択回数で除して得られる座標ｍｎが記憶される座標記憶部１１３（座標記憶手段）を設け、順位付与部１０４（順位付与手段）は、リンク情報に対し、対応する表示データの座標の位置が、座標記憶部１１３（座標記憶手段）に記憶された座標ｍｎの位置に近いほど高い順位となるように、順位を付与し、信号処理部１１０（信号処理手段）は、記号が入力されたなら、対応する表示データの座標により、座標記憶部１１３（座標記憶手段）の座標ｍｎを更新するので、過去に表示させたリンク先のウェブページや、その際に選択した表示データに関連するであろう、その近くの表示データによって表示されるリンク先のウェブページを表示しやすくすることができる。
【０１２８】
［第４の実施の形態］
次に、第４の実施の形態について、第１ないし第３の実施の形態との差異を中心に説明する。
【０１２９】
図１３は、第４の実施の形態で使用されるテレビ装置１Ｂの構成図である。
【０１３０】
テレビ装置１Ｂは、図３に示したテレビ装置１に対し、さらに領域別選択数記憶部１１４を設けた構成である。
【０１３１】
図１４に示すように、表示部１０２における表示領域が２つ以上の領域に分割されている（図１４では、表示領域が領域Ｒ１〜Ｒ６の６領域に分割されている。図１４では、実際には表示されない領域分割線（破線）を便宜的に表示している。）こととすると、領域別選択数記憶部１１４には、各領域Ｒ１〜Ｒ６の識別情報などに対応付けて、該領域での表示データの選択数が記憶される。
【０１３２】
図１５は、領域別選択数記憶部１１４の内容を例示した図である。この図は、領域Ｒ１に表示された表示データが選択された回数は３０回であり、領域Ｒ２に表示された表示データが選択された回数は５０回であることを示している。
【０１３３】
信号処理部１１０は、表示データが選択されたなら、表示部１０２における当該表示データの座標ｙを算出する。座標ｙは、表示データに対応するＤＯＭツリー要素のabsoluteTop属性から、ウェブページＷＰの縦方向のスクロール量（一般的なブラウザであればＤＯＭツリー内に最初から値を保持している）を差し引いた値である。つまり、表示部１０２の上隅を基準とした値になる。
【０１３４】
次に、信号処理部１１０は、選択された表示データがどの領域に表示されたか判定する。判定は、表示部１０２の上隅を基準とした各領域の上隅の座標と表示データの座標ｙとを比較して行う。判定後、選択された表示データが表示された領域に対応する選択数に１を加算する。
【０１３５】
そして、順位付与部１０４は、領域別選択数記憶部１１４における最多の選択数に対応する領域（図１５の例では領域Ｒ４）以外の各領域（図１５の例では、例えば領域Ｒ２）に表示される表示データに対応するリンク情報の順位が、領域別選択数記憶部１１４において当該領域に対応づけられた選択数（領域Ｒ２の場合、「５０」）より多い選択数（例えば「６５」）に対応づけられた領域（例えば領域Ｒ４）の表示データに対応するリンク情報の順位よりも低くなるようにリンク情報に順位を付与する。
【０１３６】
つまり、例えば、領域Ｒ２（いわゆる選択数で第２位の領域）におけるいずれの表示データに対応するリンク情報の順位を、領域Ｒ４（いわゆる選択数で第１位の領域）におけるいずれの表示データに対応するリンク情報の順位よりも低くするのである。また、他の２領域の関係も同様にするのである。
【０１３７】
なお、同一の領域に表示される表示データに対応するリンク情報への順位付与については、ＨＴＭＬデータにおける表示データの表示順に順位が低くなるようにするのが好ましい。結果的には、表示位置が左上に近いほど順位が高く、表示位置が右下に近いほど順位が低くなる。
【０１３８】
図１６は、分割された表示領域に表示されたウェブページ情報の表示例を示す図である。表示領域が図１４のように分割され、領域別選択数記憶部１１４が図１５のような内容であるとすると、図１６に表示されたリンクＡ〜Ｋという表示データに対応するリンク情報（表示データにあわせて、便宜的にＡ〜Ｋという）に付与される順位は、順位の高い方からＦ，Ｇ，Ｂ，Ｃ，Ｄ，Ａ，Ｅ，Ｈ，Ｉ，Ｊ，Ｋの順となる。
【０１３９】
ここで、第３の実施の形態との比較で考えるとすれば、座標ｍｎ（平均座標）は、必ずしも最多の選択数に対応する領域に含まれるとは限らない。つまり、選択数の分布が、正規分布のように１箇所を中心に広がるようになるとは限らない。例えば、最多の選択数に対応する領域が領域Ｒ１のような最上部であり、次に多い選択数に対応する領域が領域Ｒ６のような最下部の領域である場合、座標ｍｎ（平均座標）は、例えば、領域Ｒ３のような中間の領域に含まれてしまう。よって、選択数の多い領域に表示される表示データを選択しやすくできないことがある。
【０１４０】
しかしながら、第４の実施の形態によれば、上記例のように、選択数の多い領域が、領域Ｒ１のような最上部と領域Ｒ６のような最上部のような離れた領域に分かれていたとしても、その選択数の多い領域に表示される表示データに対応する記号を入力（表示データを選択）しやすくできる。よって、その領域に表示された表示データを選択して表示されたページはもとより、領域内つまり近くに表示された表示データに対応する、関連するであろうページを表示しやすくできる。
【０１４１】
したがって、第４の実施の形態によれば、表示部１０２における表示領域を２つ以上に分割した各領域に対応付けて、該領域での表示データの選択数を記憶する領域別選択数記憶部１１４（領域別選択数記憶手段）を設け、順位付与部１０４（順位付与手段）は、領域別選択数記憶部１１４における最多の選択数に対応する領域以外の各領域に表示される表示データに対応するリンク情報の順位が、領域別選択数記憶部１１４において当該領域に対応づけられた選択数より多い選択数に対応づけられた領域の表示データに対応するリンク情報の順位よりも低くなるようにリンク情報に順位を付与し、信号処理部１１０（信号処理手段）は、記号が入力されたなら、対応する表示データの座標により、領域別選択数記憶部１１４の選択数を更新するので、表示データの多い領域が２つ以上に分かれて分布していても、各領域に表示される表示データを選択しやすくでき、その結果、その領域に表示された表示データを選択して表示されたページはもとより、領域内つまり近くに表示された表示データに対応する、関連するであろうページを表示しやすくできる。
【０１４２】
［第５の実施の形態］
次に、第５の実施の形態について、第１ないし第４の実施の形態との差異を中心に説明する。
【０１４３】
図１７は、第５の実施の形態で使用されるテレビ装置１Ｃの構成図である。
【０１４４】
テレビ装置１Ｃは、図３に示したテレビ装置１に対し、さらに選択回数記憶部１１５を設けた構成である。
【０１４５】
選択回数記憶部１１５には、選択されたリンク情報と、該リンク情報の選択回数が対応付けられて記憶されている。
【０１４６】
信号処理部１１０は、入力された記号に対応するリンク情報をマップ記憶部１０６から読み出し、選択回数記憶部１１５に、当該リンク情報が記憶されていたなら、対応する選択回数を更新する。一方、信号処理部１１０は、当該リンク情報が記憶されていなかったなら、当該リンク情報と、当該リンク情報に対応する選択回数「１」を対応づけて選択回数記憶部１１５に記憶させる。
【０１４７】
そして、順位付与部１０４は、リンク情報に順位を付与する際、選択回数記憶部１１５から、当該リンク情報に対応づけられた選択回数を読み出す。
【０１４８】
順位付与部１０４は、選択回数が予め定められた回数（例えば５回）より多いか否かを判定する。順位付与部１０４は、選択回数が予め定められた回数より多いなら、当該リンク情報に等しく且つ対応づけられた選択回数が予め定められた回数より多いリンク情報が他にもあるか否かを判定する。順位付与部１０４は、該当のリンク情報があれば、当該各リンク情報については、選択回数が多いリンク情報ほど高い順位となるよう順位を付与する。順位付与部１０４は、選択回数が予め定められた回数以下、または、等しいリンク情報がなければ、順位の付与を保留しておく。
【０１４９】
そして、順位付与部１０４は、保留しておいたリンク情報だけになったなら、当該リンク情報については、基準ｙ座標の位置に近いほど高い順位となるように順位を付与する。
【０１５０】
つまり、選択回数が予め定められた回数より多いリンク情報については、選択回数が多いリンク情報に対応する記号ほど入力しやすくすることができる。
【０１５１】
例えば、過去にあるシャツの名前（表示データ）を選択して、そのシャツの詳細（リンク先のウェブページ）を頻繁に見たユーザは、その詳細のページを再び見るに際して、記号の入力しやすくすることができる。
【０１５２】
したがって、第５の実施の形態によれば、順位付与部１０４（順位付与手段）は、選択回数記憶部１１５（選択回数記憶手段）の選択回数に対応づけられた各リンク情報であって且つ当該選択回数が予め定められた回数より多く且つ互いに等しい各リンク情報に対しては、選択回数が多いリンク情報ほど高い順位となるように、順位を付与し、当該各リンク情報以外のリンク情報に対しては、対応する表示データの座標の位置が、予め定められた基準座標の位置に近いほど高い順位となるように、順位を付与し、信号処理部１１０（信号処理手段）は、記号が入力されたなら、対応するリンク情報が選択されたこととして選択回数記憶部１１５（選択回数記憶手段）を更新するので、選択回数が多いリンク情報に対応する記号ほど入力しやすくすることができる。
【０１５３】
［第６の実施の形態］
次に、第６の実施の形態について、第１ないし第５の実施の形態との差異を中心に説明する。
【０１５４】
図１８は、第６の実施の形態において、あるウェブページ情報が記号入力オフモードのときに表示された表示例を示す図である。
【０１５５】
図１９（ａ）は、記号入力オンモードになった直後の表示例を示す図である。記号は、表示データの末尾ではなく、表示データに重ねて表示されている。
【０１５６】
ここで、画面中央下寄りの表示データ「＞＞○○部注目のピックアップ」を選択するには、記号「→↓↓」を入力しなければならない。したがって、リモコン２の方向ボタン２３を、右方向、下方向、下方向と順に押す必要がある。
【０１５７】
このとき、最初の「右方向」を押した時点では、「→」だけからなる記号「→」の入力の可能性があるから、通常の処理方法としては、信号処理部１１０は、図１９（ｂ）のように、記号「→」が選択されたことがわかるよう記号「→」が目立つように、ブラウザ部１０８に記号「→」の表示の書き換え（色を変える、大きさを変える等）を指示する。
【０１５８】
次に、「下方向」を押した時点では、先と同様、記号「→↓」の入力の可能性があるから、図１９（ｃ）のように、記号「→↓」を目立たせる。
【０１５９】
そして、最後の「下方向」を押した時点で、図１９（ｄ）のように、記号「→↓↓」を目立たせる。
【０１６０】
しかし、このような通常の処理方法では、方向ボタン２３が操作されるたびに、選択するつもりのない表示データ（リンク情報）に注意が引き付けられてしまう。
【０１６１】
そこで、第６の実施の形態では、例えば、図２０（ａ）〜（ｄ）のように、方向ボタン２３が操作されたなら、入力不可能になった記号を非表示にしていく。入力不可能になった記号を小さくするまたは半透明にするようにしてもよい。
【０１６２】
これにより、選択するつもりのない表示データ（リンク情報）に注意が引き付けられる問題がなくなり、さらに、方向ボタン２３が操作されるたびに、画面上の情報量が少なくなるので、視覚的な負荷を減少させることができる。
【０１６３】
図２０（ａ）は、記号入力オンモードにした直後の状態、図２０（ｂ）は、最初の「右方向」を押した時点、図２０（ｃ）は、次の「下方向」を押した時点、そして図２０（ｄ）は、最後の「下方向」を押した時点を示している。
【０１６４】
信号処理部１１０は、方向ボタン２３が操作されるたびに、マップ記憶部１０６に記憶された記号で前方一致しないものをすべて読み出し、読み出した記号の消去等をブラウザ部１０８に指示する。例えば、図２０（ｂ）では、「右方向」に対する「→」に前方一致する「→」「→↓」「→↓↓」だけを残して、「↓」「←」「↑↓」「↑↑」「←↑」「←↑↑」が消去されている。
【０１６５】
なお、記号記憶部１０５において、例えば、ある記号「→→」、その次に入力しやすい記号「→↑」、その次に入力しやすい記号「→↓」というように記憶させると、視覚的な負荷が大きくなる場合がある。
【０１６６】
これら記号は、基準座標から次第に離れる位置に表示されるが、記号同士は近接していることが多いと思われる。
【０１６７】
例えば、記号「→↑」を入力しようとすると、まずは、「右方向」が押されるが、その時点では、各記号「→→」、「→↑」、「→↓」の入力の可能性が残っているので、それらは変わらず表示されたままである。よって、入力しようとする記号「→↑」を顕在化できず、視覚的な負荷が大きくなるのである。
【０１６８】
一方、例えば、記号記憶部１０５において、記号「→↑」、次に記号「←↑」、次に記号「↓→」のように記憶させると、つまり、前方一致する記号同士を少なくとも並ばないように記憶させると、「右方向」が押された時点では、各記号「←↑」、「↓→」の入力の可能性はなくなるので、それらは消去等される。よって、入力しようとする記号「→↑」を顕在化でき、視覚的な負荷を軽減することができる。
【０１６９】
したがって、第６の実施の形態によれば、記号記憶部１０５（記号記憶手段）は、前方一致する記号同士を少なくとも並ばないように記憶し、信号処理部１１０（信号処理手段）は、入力された１以上の文字に前方一致しない記号をマップ記憶部１０６（マップ記憶手段）から読み出し、読み出した記号が非顕在化されるまたは非表示となるように、ブラウザ部１０８（表示制御手段）を制御するので、入力しようとする記号を顕在化でき、視覚的な負荷を軽減することができる。
【０１７０】
なお、これまでの説明では、記号に「←」などを用いたが、数字等を用いてもよい。
【０１７１】
例えば、図４では、方向ボタン２３を操作して得られる記号を記憶した記号記憶部１０５を示したが、図２１に示すように、記号記憶部１０５に記憶される記号は、数字ボタン２５を操作して得られる文字を１以上含むもの（数字）でもよい。入力しやすさは、被験者実験などで評価すればよい。
【０１７２】
数字は、同じ長さでも入力しやすさが異なる場合があり、例えば、「３０」や「９０」よりも「１１」や「２２」などの方が入力しやすくしかも間違えずに入力できる場合がある。
【０１７３】
こうして記号を数字にすることよって、図２２に示すように、表示データの末尾等に、対応する記号（数字）が表示される。
【０１７４】
また、図２３に示すように、リモコン２は、方向ボタン２３、確定ボタン２４を備えないものであってもよい。この場合、「２」、「４」、「６」、「８」の数字ボタン２５を方向ボタン２３に代えて使用すればよい。また、「５」の数字ボタン２５を確定ボタン２４に代えて使用すればよい。
【０１７５】
また、各実施の形態に係るウェブページ情報表示制御装置は、専用のハードウェアで構成してもよいし、演算処理装置、記憶装置、メモリ等を備えたコンピュータで構成し、各部の処理をコンピュータプログラムつまりウェブページ情報表示制御装置としてコンピュータを機能させるためのコンピュータプログラムによって実行させてもよい。コンピュータプログラムは、記憶装置などに記憶され、これを演算処理装置が逐次読み出して実行することにより、各部の処理が可能となる。
【０１７６】
コンピュータプログラムは、ＣＤ−ＲＯＭ、磁気ディスク、光ディスク、半導体メモリ等のコンピュータ読み取り可能な記録媒体に格納してもよい。また、コンピュータプログラムは、インターネットなどの介して、他者に提供してもよい。
【符号の説明】
【０１７７】
１、１Ａ、１Ｂ、１Ｃ…テレビ装置
２…リモコン
３…モデム
２１…電源ボタン
２２…ネットボタン
２３…方向ボタン
２４…確定ボタン
２５…数字ボタン
２６…チャネルボタン
２７…音量ボタン
１０１…通信部
１０２…表示部
１０３…座標算出部
１０４…順位付与部
１０５…記号記憶部
１０６…マップ記憶部
１０７…記号付与部
１０８…ブラウザ部
１０９…信号受信部
１１０…信号処理部
１１１…スクロール方向記憶部
１１２…モード記憶部
１１３…座標記憶部
１１４…領域別選択数記憶部
１１５…選択回数記憶部
【図１】
2010287202.tif 000003
【図２】
2010287202.tif 000004
【図３】
2010287202.tif 000005
【図４】
2010287202.tif 000006
【図５】
2010287202.tif 000007
【図６】
2010287202.tif 000008
【図７】
2010287202.tif 000009
【図８】
2010287202.tif 000010
【図９】
2010287202.tif 000011
【図１０】
2010287202.tif 000012
【図１１】
2010287202.tif 000013
【図１２】
2010287202.tif 000014
【図１３】
2010287202.tif 000015
【図１４】
2010287202.tif 000016
【図１５】
2010287202.tif 000017
【図１６】
2010287202.tif 000018
【図１７】
2010287202.tif 000019
【図１８】
2010287202.tif 000020
【図１９】
2010287202.tif 000021
【図２０】
2010287202.tif 000022
【図２１】
2010287202.tif 000023
【図２２】
2010287202.tif 000024
【図２３】
2010287202.tif 000025
【図２４】
2010287202.tif 000026